(57)【要約】【課題】カメラ付き携帯機器における小型軽量化及び省電力性に優れた構成の提供。【解決手段】カメラ付き携帯機器は、カメラセンサから入力された画像データを処理する画像処理部と、前記画像処理された画像データに基づき表示制御を行う表示制御部とを含んだ統合チップ１９を有し、前記カメラセンサから入力された画像データをＣＰＵ１１を介さずに表示できるように構成される。更に、カメラ付き携帯機器は、ＣＰＵ１１側と前記統合チップ１９間に配設され、前記画像処理部と表示制御部とで共用する双方向データバス２０を有し、統合チップ１９へ所定のコマンドを送信することにより、前記双方向データバスを介して、ＣＰＵ１１側からの画像出力と、カメラセンサ１６から入力された画像データのＣＰＵ１１側への入力とを実行可能とする。【選択図】図１
2008042323.tif 000002
【特許請求の範囲】
【請求項１】
カメラセンサから入力された画像データを処理する画像処理部と、前記画像処理された画像データに基づき表示制御を行う表示制御部とを含んだ統合チップを有し、前記カメラセンサから入力された画像データをＣＰＵを介さずに表示できるようにしたカメラ付き携帯機器であって、
前記ＣＰＵ側と前記統合チップ間に配設され、前記画像処理部と表示制御部とで共用する双方向データバスを有し、
前記統合チップへ所定のコマンドを送信することにより、前記双方向データバスを介して、前記ＣＰＵ側からの画像出力と、前記カメラセンサから入力された画像データの前記ＣＰＵ側への入力とを実行可能としたこと、
を特徴とするカメラ付き携帯機器。
【請求項２】
前記所定のコマンドが前記双方向データバスを介して送信されること、
を特徴とする請求項１に記載のカメラ付き携帯機器。
【請求項３】
前記双方向データバスの予め定められた信号線の入出力を切替可能であり、
前記ＣＰＵ側からの画像出力と、前記カメラセンサから入力された画像データの前記ＣＰＵ側への入力とを同時に実行可能としたこと、
を特徴とする請求項１又は２に記載のカメラ付き携帯機器。
【請求項４】
前記ＣＰＵ側からの画像出力と、前記カメラセンサから入力された画像データの前記ＣＰＵ側への入力とを同時に実行している間は、前記双方向データバスの動作周波数を高くすること、
を特徴とする請求項３に記載のカメラ付き携帯機器。
【請求項５】
前記ＣＰＵ側からの画像出力と、前記カメラセンサから入力された画像データの前記ＣＰＵ側への入力とを同時に実行している間は、ダブルエッジクロッキング（デュアルエッジクロッキング）方式にて、倍速データ転送を行うこと、
を特徴とする請求項３に記載のカメラ付き携帯機器。
【請求項６】
前記統合チップは、垂直同期信号の立ち下がりエッジのタイミングで前記コマンドをラッチし、次の立ち上がりエッジのタイミングで、前記ラッチしたコマンドを実行すること、
を特徴とする請求項１乃至５いずれか一に記載のカメラ付き携帯機器。
【請求項７】
前記統合チップは、垂直同期信号のフロントポーチにおける水平同期信号の立ち上がりエッジのタイミングで複数のコマンドをラッチし、
次の垂直同期信号の立ち上がりエッジのタイミングで、前記複数のコマンドを一斉に有効化すること、
を特徴とする請求項６に記載のカメラ付き携帯機器。
【発明の詳細な説明】
【技術分野】
【０００１】
本発明は、デジタルカメラのほか、カメラを備えた携帯電話機、ＰＤＡ（Ｐｅｒｓｏｎａｌ  Ｄｉｇｉｔａｌ  Ａｓｓｉｓｔａｎｔ）等の携帯機器に関する。
【背景技術】
【０００２】
図１５は、従来のカメラ付き携帯機器の構成を表した図である。カメラＤＳＰ１８−ＣＰＵ１１間のバス、及び、ＬＣＤ（Ｌｉｑｕｉｄ  Ｃｒｙｓｔａｌ  Ｄｉｓｐｌａｙ）ドライバ１７−ＣＰＵ１１間のバスやＣｏｍｍａｎｄインターフェース（以下、「Ｉ／Ｆ」と省略する。）等の配線本数が多く、小型化の妨げとなっている。
【０００３】
また、図１５のデータパス３０、３１に示されたとおり、携帯電話のＴＶ電話機能使用時や、カメラ画像のプレビュー時等に、ＣＰＵ１１及び中央高速バス１３を介してデータをやり取りする構成となっており、処理能力や連続使用持続時間等の大幅な向上は難しくなっている。
【０００４】
一方、カメラ付き携帯機器においては、カメラの画素数の増大、高解像度化に対応することを常に要求されており、省スペース性、軽量化、低消費電力性をバランス良く実現する方向性で種々の提案がなされている。
【０００５】
例えば、特開２００３−６０９５５号公報には、撮影した画像の高速表示を実現するために、バス切替スイッチを有し、画像データ処理部とＬＣＤドライバ間を直結できるようにした構成が開示されている。また、同公報記載の構成によれば、ＣＰＵを介さずして画像を表示可能となるため、ＣＰＵの処理能力やバス転送速度を高速化しなくともフレーム・レートを向上することが可能となる上、消費電力を低減する上でも有利である。
【０００６】
また例えば、特開２００４−３１２０８２号公報にも、表示制御回路側に、ＣＰＵとカメラモジュールとのＩ／Ｆ回路とを設け、カメラモジュールと表示装置間の高速データ転送を実現するとともに、ＣＰＵとカメラモジュール間の物理的なＩ／Ｆを不要とした構成が開示されている。
【０００７】
【特許文献１】特開２００３−６０９５５号公報
【特許文献２】特開２００４−３１２０８２号公報
【発明の開示】
【発明が解決しようとする課題】
【０００８】
しかしながら、上記した従来の技術をもってしても、データやコマンドをやり取りする配線本数の削減には限りがある。例えば、特許文献１によれば、フレーム・レートを向上するとともに消費電力の低減を達成することが可能となるが、配線本数の大幅な削減は不可能である。また特許文献２にしても、ＣＰＵ−カメラモジュール間の配線を省略可能となるが、ＣＰＵ−表示制御装置、表示制御装置−カメラモジュール間に、これに代る信号線が必要であり、配線本数の大幅な削減はできないものと考えられる。
【０００９】
本発明は、上記した事情に鑑みてなされたものであって、その目的とするところは、配線本数を削減することにより、カメラ性能の向上及び上記省スペース・軽量性、省電力性をバランスよく実現することのできる構成を有するカメラ付き携帯機器を提供することにある。
【課題を解決するための手段】
【００１０】
本発明の第１の視点によれば、カメラセンサから入力された画像データを処理する画像処理部（カメラＤＳＰ）と、前記画像処理された画像データに基づき表示制御を行う表示制御部（表示ドライバ）とを含んだ統合チップを有し、前記カメラセンサから入力された画像データをＣＰＵを介さずに表示できるようにしたカメラ付き携帯機器であって、前記ＣＰＵ側と前記統合チップ間に配設され、前記画像処理部と表示制御部とで共用する双方向データバスを有し、前記統合チップへ所定のコマンドを送信することにより、前記双方向データバスを介して、前記ＣＰＵ側からの画像出力と、前記カメラセンサから入力された画像データの前記ＣＰＵ側への入力とを実行可能としたこと、を特徴とするカメラ付き携帯機器が提供される。
【発明の効果】
【００１１】
本発明によれば、データやコマンドのやり取りに必要な信号線の本数を大きく削減することが可能となり、基板面積の削減、ひいては、携帯機器本体サイズを小型化することが可能となる。
【発明を実施するための最良の形態】
【００１２】
続いて、本発明を実施するための最良の形態について、図面を参照して詳細に説明する。
【００１３】
［第１の実施形態］
図１は、本発明の第１の実施形態に係るカメラ付き携帯機器の構成を表したブロック図である。図１を参照すると、本実施形態に係るカメラ付き携帯機器は、ＣＰＵ１１と、ＬＣＤドライバ＋カメラＤＳＰ統合チップ１９と、ＬＣＤドライバ＋カメラＤＳＰ統合チップ１９によって駆動されるＬＣＤパネル１０及びカメラセンサ１６と、を備えて構成されている。
【００１４】
ＬＣＤドライバ＋カメラＤＳＰ統合チップ１９は、ＬＣＤドライバ（図１５のＬＣＤドライバ１７に相当）と、カメラＤＳＰ（図１５のカメラＤＳＰ１８に相当）を一体化（１パッケージ化）させたものであり、ＬＣＤパネル１０及びカメラセンサ１６とそれぞれ接続されている。
【００１５】
ＬＣＤドライバ＋カメラＤＳＰ統合チップ１９とＣＰＵ１１間は、ＣＰＵ１１側が入力の水平同期信号（Ｈｓｙｎｃ）、垂直同期信号（Ｖｓｙｎｃ）、マスタークロック（Ｍａｓｔｅｒ＿ｃｌｏｃｋ）の各信号線と、ＣＰＵ１１側が出力のシステムクロック（Ｓｙｓｔｅｍ＿ｃｌｏｃｋ）信号線と、後記する入出力設定コマンドにより切り替え可能な双方向のデータバス（Ｄａｔａ  Ｂｕｓ）２０とにより接続される。
【００１６】
マスタークロック（Ｍａｓｔｅｒ＿ｃｌｏｃｋ）は、ＬＣＤドライバ＋カメラＤＳＰ統合チップ１９から、水平同期信号（Ｈｓｙｎｃ）、垂直同期信号（Ｖｓｙｎｃ）、双方向のデータバス（Ｄａｔａ  Ｂｕｓ）とともにＣＰＵ１１側に送られる、ＬＣＤドライバ＋カメラＤＳＰ統合チップ１９−ＣＰＵ１１間インターフェースのマスタークロックである。
【００１７】
システムクロック（Ｓｙｓｔｅｍ＿ｃｌｏｃｋ）は、ＣＰＵ１１からＬＣＤドライバ＋カメラＤＳＰ統合チップ１９に供給されるクロックであり、ＬＣＤドライバ＋カメラＤＳＰ統合チップ１９の内部ロジックに供給される。
【００１８】
また、図１のＣＰＵ１１内には、中央高速バス１３に接続されたＬＣＤ  Ｉ／Ｆ１２、カメラＩ／Ｆ１５、メモリ１４が示されている。ＣＰＵ１１内には中央高速バス１３に接続される他の機能ユニットがあるが、ここでは、本発明とは直接関係しないため省略している。
【００１９】
続いて、前記した双方向のデータバス（Ｄａｔａ  Ｂｕｓ）２０の入出力切替方法について説明する。図２は、ＬＣＤドライバ＋カメラＤＳＰ統合チップ１９のコマンド一覧である。例えば、双方向のデータバス（Ｄａｔａ  Ｂｕｓ）２０を介してＣＰＵ１１から出力設定コマンド「０ｘ０００００１」を送信することにより、電池残量や電波状態表示等の表示データをＬＣＤドライバ＋カメラＤＳＰ統合チップ１９側に送信することが可能となる。また例えば、双方向のデータバス（Ｄａｔａ  Ｂｕｓ）２０を介してＣＰＵ１１から入力設定コマンド「０ｘ０００００２」を送信することにより、ＬＣＤドライバ＋カメラＤＳＰ統合チップ１９からの撮影データを受信することが可能となる。また、その他サイズ変更やＬＣＤのオンオフ制御等も、すべて前記した双方向のデータバス（Ｄａｔａ  Ｂｕｓ）２０を介して行なわれる。また、現状維持コマンド「０ｘ００００００」は何もコマンドを送る必要が無い場合に送られるコマンドである。
【００２０】
図３は、上記出力設定コマンド及び入力設定コマンドの送信タイミングと双方向のデータバス（Ｄａｔａ  Ｂｕｓ）２０の切替タイミングを説明するための図である。双方向のデータバス（Ｄａｔａ  Ｂｕｓ）２０は、フロントポーチと垂直同期信号（Ｖｓｙｎｃ）がインアクティブの間に、コマンドを送信する仕様となっている。例えば、双方向のデータバス（Ｄａｔａ  Ｂｕｓ）２０が入力の時に、ＣＰＵ１１から出力設定コマンド６６を送ると、ＬＣＤドライバ＋カメラＤＳＰ統合チップ１９は、フロントポーチの終了タイミング６２で出力設定コマンド６６をラッチする。そして、ＬＣＤドライバ＋カメラＤＳＰ統合チップ１９は、次の垂直同期信号（Ｖｓｙｎｃ）のエッジ（フレームの先頭）に同期したタイミング６４で、上記した双方向のデータバス（Ｄａｔａ  Ｂｕｓ）２０を出力に切り替える。
【００２１】
同様に、双方向のデータバス（Ｄａｔａ  Ｂｕｓ）２０が出力の時に、ＣＰＵ１１から入力設定コマンド６７を送ると、ＬＣＤドライバ＋カメラＤＳＰ統合チップ１９は、フロントポーチの終了タイミング６３で入力設定コマンド６７をラッチする。そして、ＬＣＤドライバ＋カメラＤＳＰ統合チップ１９は、次の垂直同期信号（Ｖｓｙｎｃ）のエッジ（フレームの先頭）に同期したタイミング６５で、上記した双方向のデータバス（Ｄａｔａ  Ｂｕｓ）２０を入力に切り替える。
【００２２】
続いて、本実施形態の動作について、カメラ機能をオンにした際の所謂カメラプレビュー画面を表示する例を挙げて具体的に説明する。ここで用いるカメラプレビュー画面は、図４に示すとおり、カメラで撮影した人物像７０と重なるように、ＬＣＤパネル１０の上段に電池残量表示７１やアンテナマーク７２の機器状態表示を伴う携帯電話機等において一般的なものである。
【００２３】
ここで、図４の人物像７０は、ＣＰＵ１１を介さず、カメラセンサ１６から、直接ＬＣＤドライバ＋カメラＤＳＰ統合チップ１９に送られたものである。一方、図３の電池残量表示７１やアンテナマーク７２は、ＣＰＵ１１の機器状態の監視機能により、メモリ１４、中央高速バス１３、ＬＣＤ  Ｉ／Ｆ１２を通って、ＬＣＤドライバ＋カメラＤＳＰ統合チップ１９に送信されたものである。
【００２４】
ＬＣＤドライバ＋カメラＤＳＰ統合チップ１９は、カメラセンサ１６から送られた画像（人物像７０）と、ＣＰＵ１１から送られた表示データ（電池残量表示７１やアンテナマーク７２等）とを合成し、ＬＣＤパネル１０に出力する。この際の双方向のデータバス（Ｄａｔａ  Ｂｕｓ）２０は、ＣＰＵ１１側が出力となっている。
【００２５】
図５は、図１にデータパスを追記したものであり、データパス５０が、上記カメラセンサ１６から送られた画像データ（人物像７０）のデータパスを表し、データパス５１が、上記ＣＰＵ１１から送られた表示データ（電池残量表示７１やアンテナマーク７２等）のデータパスを表している。
【００２６】
電池残量表示７１やアンテナマーク７２は、ＬＣＤパネル１０の表示領域全体（１フレーム）のほんの一部に表示されるデータであるため（図４参照）、図６に示すように、データパス５１は、電池残量表示７１やアンテナマーク７２の有効データがある時だけ動作すれば良く、それ以外の時間は停止させることができる。これにより、図１５に示す従来構成と比較しても明らかなように、中央高速バス１３の帯域やその駆動に要する電力を大きく節約することができる。
【００２７】
図７は、ＬＣＤドライバ＋カメラＤＳＰ統合チップ１９−ＣＰＵ１１間インターフェースの信号波形を表している。ＣＰＵ１１から、電池残量表示７１やアンテナマーク７２などを送信している場合は、双方向のデータバス（Ｄａｔａ  Ｂｕｓ）２０は、ＣＰＵ１１側からの出力となる。マスタークロック（Ｍａｓｔｅｒ＿ｃｌｏｃｋ）の立ち上がりエッジ６０を受けて、ＣＰＵ１１が表示データを出力し、次の立ち上がりエッジ６１のタイミングで、ＬＣＤドライバ＋カメラＤＳＰ統合チップ１９は、データを受信するといった流れとなるが、上記したとおり、ＣＰＵ１１からのデータ出力が終了次第、双方向のデータバス（Ｄａｔａ  Ｂｕｓ）２０は使用されなくなる。
【００２８】
以上のように、カメラセンサ１６から送られる画像（プレビュー画像）を基本とし、ＣＰＵ１１からの電池残量表示７１やアンテナマーク７２が送られた場合に、ＬＣＤドライバ＋カメラＤＳＰ統合チップ１９において合成することにより、図４の画面表示が実現される。
【００２９】
上記したカメラプレビュー時においては、ＬＣＤドライバ＋カメラＤＳＰ統合チップ１９が双方向のデータバス（Ｄａｔａ  Ｂｕｓ）２０のマスタとなって通信することとなる。その他の動作モードにおいても、ＣＰＵ１１から前記した入出力設定コマンドを適宜送信することにより、適当なデータパスにて各種表示やデータ保存を行うことが可能であるので、以下、これらについて説明する。
【００３０】
図８は、カメラは使用せずＬＣＤ表示のみ行っている場合のデータの流れを示す。メモリ１４に格納されたいわゆるアルバム画像等の画像データは、データパス５２で示されるとおり、中央高速バス１３、ＬＣＤ  Ｉ／Ｆ１２、双方向のデータバス（Ｄａｔａ  Ｂｕｓ）２０を通って、ＬＣＤドライバ＋カメラＤＳＰ統合チップ１９に供給される。
【００３１】
図９は、ＣＰＵ１１からの各種の機器状態表示をオフ設定とした状態で、カメラプレビューを行った場合におけるデータの流れを説明するための図である。カメラセンサ１６から送られた画像データは、データパス５６を介して、ＬＣＤパネル１０に送られる。この際、ＣＰＵ１１からの表示データの送信はないので、電池残量表示７１やアンテナマーク７２等の表示は行われない。また、データパス５７は、プレビュー画像をユーザが保存する操作を行った場合のデータの流れを表している。
【００３２】
図１０は、各種設定画面や、電子メールやＷＥＢ閲覧中など、ＣＰＵ１１からの画像表示のみの場合のデータの流れを説明するための図である。この場合は、ＣＰＵ１１がマスタとなって、水平同期信号（Ｈｓｙｎｃ）、垂直同期信号（Ｖｓｙｎｃ）を出力する構成とすることができる。このように設定することで、マスタークロック（Ｍａｓｔｅｒ＿ｃｌｏｃｋ）が不要となり、マスタークロック（Ｍａｓｔｅｒ＿ｃｌｏｃｋ）の供給に要する消費電流を削減することが可能となる。
【００３３】
以上のとおり、本実施形態によれば、図１５に示した従来構成に対して、携帯機器の基板上の配線本数を半分にし、携帯機器の小型化が可能となる。その理由は、カメラＤＳＰ１８−ＣＰＵ１１間のバス、及び、ＬＣＤドライバ１７−ＣＰＵ１１間のバスを共有化したことにある。また上記した構成とした結果、ＣＰＵ１１の端子数も軽減され、その小型化も容易化される。
【００３４】
また、本実施形態によれば、双方向のデータバス（Ｄａｔａ  Ｂｕｓ）２０を介して、コマンドを送信する構成となっているため、図１５に示した従来構成のＣｏｍｍａｎｄＩ／Ｆも省略することが可能となる。
【００３５】
［第２の実施形態］
続いて、双方向のデータバス（Ｄａｔａ  Ｂｕｓ）２０の切替制御に変更を加えた本発明の第２の実施形態について図面を参照して説明する。本実施形態は、上記した入出力設定コマンドにて、双方向のデータバス（Ｄａｔａ  Ｂｕｓ）２０を上位と下位に分け、同時に入出力可能とした点以外は、上記した第１の実施形態と略同様の構成であるので、すでに説明した事項は省略し、その相違点を中心に説明する。
【００３６】
図１１は、本実施形態に係るカメラ付き携帯機器の構成を表したブロック図である。この場合も、データパス５３に示すように、カメラセンサ１６から、プレビュー画像がＬＣＤパネル１０に送信される。電池残量表示７１やアンテナマーク７２等は、ＣＰＵ１１からデータパス５４を介して送信される。ＣＰＵ１１は、プレビュー画像を受信したい時だけ、データパス５５を使って、画像データを受信できる。
【００３７】
本実施の形態では、図１２に表されたとおり、双方向のデータバス（Ｄａｔａ  Ｂｕｓ）２０の上位データバス２０ａは、出力設定に固定され、下位データバス２０ｂが、入出力切り替え可能とされている。例えば、ＣＰＵ１１から入出力設定コマンドが送られると、ＬＣＤドライバ＋カメラＤＳＰ統合チップ１９は、双方向のデータバス（Ｄａｔａ  Ｂｕｓ）２０の下位バス２０ｂのみを切り替え、入出力を同時に実行可能な状態にする。
【００３８】
図１３は、本実施形態に係るカメラ付き携帯機器におけるＣＰＵ１１−ＬＣＤドライバ＋カメラＤＳＰ統合チップ１９間インターフェースの信号波形を概念的に表した図である。同図に示すように、プレビュー画像の保存等の必要に応じて、双方向のデータバス（Ｄａｔａ  Ｂｕｓ）２０を上位と下位に分け、片方を入力、片方を出力として使用する。例えば、ＬＣＤパネル１０にプレビュー画像を出力しつつ、当該画像の保存を行っている場合においては、上記出力設定に固定された上位バスのみを介して電池残量表示７１やアンテナマーク７２が送信される。
【００３９】
上記に伴い一時的に、双方向のデータバス（Ｄａｔａ  Ｂｕｓ）２０による送信可能なデータ量が減少（双方向のデータバス２０を上位下位に２等分して使用した場合は半減）してしまう。そこで、本実施形態では、ＬＣＤドライバ＋カメラＤＳＰ統合チップ１９が、入出力コマンドが有効になるタイミングに合わせて、マスタークロック（Ｍａｓｔｅｒ＿ｃｌｏｃｋ）の周波数をｎ倍にしたり、戻したりすることにより、送信できるデータ量に変更が生じないようにしている（図１３のマスタークロック（Ｍａｓｔｅｒ＿ｃｌｏｃｋ）参照）。
【００４０】
また例えば、双方向のデータバス（Ｄａｔａ  Ｂｕｓ）２０を上位下位に２等分して使用した場合、周波数を２倍にするのではなく、クロック波形の両エッジにデータを乗せる、所謂ダブルエッジクロッキング（ｄｏｕｂｌｅ  ｅｄｇｅ  ｃｌｏｃｋｉｎｇ；「デュアルエッジクロッキング（ｄｕａｌ  ｅｄｇｅ  ｃｌｏｃｋｉｎｇ）」ともいう）方式に切り替えることも可能である。これにより、マスタークロック（Ｍａｓｔｅｒ＿ｃｌｏｃｋ）の周波数を上げずに済み、基板上での配線設計への影響が緩和され、かつ携帯機器の無線特性への影響を抑えることができる。
【００４１】
もちろん、機器によっては、上記した各伝送速度の高速化等を省略することも可能である。
【００４２】
［第３の実施形態］
続いて、複数のコマンドを同時に有効化できるように変更を加えた本発明の第３の実施形態について図面を参照して説明する。本実施形態は、図２に示す各種コマンドを複数ラッチしておき同時に有効化するという点以外は、上記した第１の実施形態と略同様の構成であるので、すでに説明した事項は省略し、その相違点を中心に説明する。
【００４３】
図１４は、図２に示した各種コマンドの送信タイミングとコマンド実行タイミングとを説明するための図である。図１４に示すように、ＬＣＤドライバ＋カメラＤＳＰ統合チップ１９が、垂直同期信号（Ｖｓｙｎｃ）のフロントポーチ中の水平同期信号（Ｈｓｙｎｃ）の立ち上がりエッジのタイミング９６で１つ目のコマンド（１ｓｔコマンド）９１をラッチし、次の水平同期信号（Ｈｓｙｎｃ）の立ち上がりエッジのタイミング９７で２つ目のコマンド（２ｎｄコマンド）９２をラッチする（以下、３ｒｄコマンド、４ｔｈコマンドも同様）。
【００４４】
そして、ＬＣＤドライバ＋カメラＤＳＰ統合チップ１９は、１回の垂直同期信号（Ｖｓｙｎｃ）のフロントポーチ中にラッチした前記各コマンドを次の垂直同期信号（Ｖｓｙｎｃ）の立ち上がりエッジのタイミング９８で一斉に有効化する。
【００４５】
以上のように、本実施形態によれば、１回のフロントポーチで、上記第１、第２の実施形態で説明した入出力設定コマンドを含む複数のコマンドを送ることが可能となる。
【００４６】
以上、カメラプレビュー機能への適用を中心に、本発明の好適な実施形態について説明したが、本発明は、上記したカメラプレビュー機能を備えたカメラ付き携帯端末（所謂デジタルカメラやカメラ付き携帯端末等）に止まらず、カメラで撮影した画像をリアルタイムに出力する機能を有するほとんどのカメラ付き携帯機器に適用することが可能である。例えば、本発明は、テレビ電話機能を備えた携帯電話機にも好ましく採用することができる。相手の画像とともに、話者の画像をＬＣＤに表示するという点に着目すれば、上記したカメラプレビュー機能と同様に、本発明の作用・効果を享受できると考えられる。
【図面の簡単な説明】
【００４７】
【図１】本発明の第１の実施形態に係るカメラ付き携帯機器の構成を表したブロック図である。
【図２】本発明の第１の実施形態に係るカメラ付き携帯機器に内蔵されるＬＣＤドライバ＋カメラＤＳＰ統合チップのコマンド一覧（一部）である。
【図３】図２のコマンドの送信タイミング及び双方向のデータバス（Ｄａｔａ  Ｂｕｓ）の切替タイミングを説明するための図である。
【図４】本発明の第１の実施形態に係るカメラ付き携帯機器の動作を説明するためのサンプル画面（カメラプレビュー時）である。
【図５】図４のサンプル画面を表示する際のデータの流れを説明するため、図１にデータパスを追記した図である。
【図６】図４のサンプル画面を表示する際に、各データが帯域を占有する状況を説明するための図である。
【図７】図４のサンプル画面を表示する際の信号波形を概念的に表した図である。
【図８】カメラ不使用、ＬＣＤ表示のみを行っている際のデータの流れを説明するための図である。
【図９】ＣＰＵからの各種表示をオフ設定としたカメラプレビュー画面におけるデータの流れを説明するための図である。
【図１０】カメラ不使用時に、ＣＰＵをマスタとして動作させた場合のデータの流れを説明するための図である。
【図１１】本発明の第２の実施形態に係るカメラ付き携帯機器の構成を表したブロック図（データパス追記）である。
【図１２】本発明の第２の実施形態に係るカメラ付き携帯機器における入出力設定コマンドの送信タイミング及び双方向のデータバス（Ｄａｔａ  Ｂｕｓ）の切替タイミングを説明するための図である。
【図１３】本発明の第２の実施形態に係るカメラ付き携帯機器における信号波形を概念的に表した図である。
【図１４】本発明の第３の実施形態に係るカメラ付き携帯機器におけるコマンドの送信タイミングとコマンド実行タイミングを説明するための図である。
【図１５】従来のカメラ付き携帯機器の構成を表したブロック図である。
【符号の説明】
【００４８】
１０  ＬＣＤパネル
１１  ＣＰＵ
１２  ＬＣＤ  Ｉ／Ｆ
１３  中央高速バス
１４  メモリ
１５  カメラＩ／Ｆ
１６  カメラセンサ
１７  ＬＣＤドライバ
１８  カメラＤＳＰ
１９  ＬＣＤドライバ＋カメラＤＳＰ統合チップ（統合チップ）
２０  双方向のデータバス（Ｄａｔａ  Ｂｕｓ）
２０ａ  上位データバス
２０ｂ  下位データバス
３０、３１、５０〜５７  データパス
６６  出力設定コマンド
６７  入力設定コマンド
７０  人物像
７１  電池残量表示
７２  アンテナマーク
９０  データ
９１〜９４  コマンド
【図１】
2008042323.tif 000003
【図２】
2008042323.tif 000004
【図３】
2008042323.tif 000005
【図４】
2008042323.tif 000006
【図５】
2008042323.tif 000007
【図６】
2008042323.tif 000008
【図７】
2008042323.tif 000009
【図８】
2008042323.tif 000010
【図９】
2008042323.tif 000011
【図１０】
2008042323.tif 000012
【図１１】
2008042323.tif 000013
【図１２】
2008042323.tif 000014
【図１３】
2008042323.tif 000015
【図１４】
2008042323.tif 000016
【図１５】
2008042323.tif 000017